(57)【要約】本発明の対象は、マスター電子楽譜スタンド（１０）と１つ以上のスレーブ電子楽譜スタンド（５０）とを備える指揮者中心の電子楽譜スタンドシステム（１）である。電子楽譜スタンド（１０または５０）で用いる対話型ユーザインタフェース（１００）と、一連の命令（ＳＩ）を含むコンピュータ可読記憶媒体とも提供される。指揮者中心の電子楽譜スタンドシステム（１）、対話型ユーザインタフェース（１００）、および、一連の命令（ＳＩ）を含むコンピュータ可読記憶媒体。前記命令（ＳＩ）は、楽譜に対する注釈及び／又は変更をマスター電子楽譜スタンド（１０）とスレーブ電子楽譜スタンド（５０）との間で送信できるようにするとともに、マスター電子楽譜スタンド（１０）がその記憶媒体（１２）から読み出される楽譜を１つ以上のスレーブ電子楽譜スタンド（５０）へ送信できるようにする。
2011528127.tif 000002
【特許請求の範囲】
【請求項１】
楽譜および注釈を示す対話型ユーザインタフェースを表示するためのディスプレイ（１１）と、
楽譜および注釈を記憶するための記憶媒体（１２）と、
少なくとも１つの他の電子楽譜スタンド（５０）を接続するための通信ポート（１３）と、を有する電子楽譜スタンド（１０）であって、
前記対話型ユーザインタフェース（１００）を介して前記楽譜に注釈を付け且つ／又は変更する可能性と、
前記楽譜に対する前記注釈および／または前記変更を、１つ以上の前記接続された他の電子楽譜スタンド（５０）へ前記通信ポート（１３）を介して送信する可能性と、
前記楽譜に対する前記注釈および／または前記変更を前記記憶媒体（１２）に保存する可能性と、
前記楽譜に対する前記保存された注釈および／または変更を前記記憶媒体（１２）から読み出す可能性と、をユーザに提供することを特徴とする電子楽譜スタンド。
【請求項２】
正確な拍子表示のためのメトロノーム（１５）を更に備えることを特徴とする請求項１に記載の電子楽譜スタンド。
【請求項３】
楽器の調律のためのチューニングパイプ（１７）を更に備えることを特徴とする請求項１または請求項２に記載の電子楽譜スタンド。
【請求項４】
正確なテンポ検出のためのマイクロホン（１９）を更に備え、
該マイクロホンにより検出されるテンポによって、前記ディスプレイ（１１）上に表示される楽譜の流れを自動的に制御することを特徴とする請求項１から請求項３のいずれか１項に記載の電子楽譜スタンド。
【請求項５】
前記ディスプレイ（１１）に表示される楽譜（１８）の流れを手動で制御するための手段を更に備えることを特徴とする請求項１から請求項４のいずれか１項に記載の電子楽譜スタンド。
【請求項６】
電子指揮棒（７０）を更に備え、
該電子指揮棒は、前記ディスプレイ（１１）に表示される楽譜の流れを制御するために該電子指揮棒（７０）の動きに応じた信号を与えることを特徴とする請求項１から請求項５のいずれか１項に記載の電子楽譜スタンド。
【請求項７】
指揮棒（２０）の動きを検出するための手段を更に備え、
該手段は、前記ディスプレイ（１１）に表示される楽譜の流れを制御するために前記指揮棒の動きに応じた信号を与えることを特徴とする請求項１から請求項５のいずれか１項に記載の電子楽譜スタンド。
【請求項８】
楽譜の流れの制御は、前記通信ポート（１３）を介して１つ以上の前記接続された他の電子楽譜スタンド（５０）へ送信可能であり、この送信により、前記接続された他の電子楽譜スタンド（５０）のディスプレイ（１１）に表示される楽譜の流れを遠隔的に制御することを特徴とする請求項４から請求項６のいずれか１項に記載の電子楽譜スタンド。
【請求項９】
指揮者を務めるユーザの画像を記録するためのビデオカメラ（２９）を更に備え、
前記画像は、前記通信ポート（１３）を介して１つ以上の前記接続されたスレーブ電子楽譜スタンド（５０）へ送信可能であることを特徴とする請求項１から請求項３のいずれか１項に記載の電子楽譜スタンド。
【請求項１０】
前記ディスプレイ（１１）はタッチパネルであることを特徴とする請求項１から請求項３のいずれか１項に記載の電子楽譜スタンド。
【請求項１１】
前記電子楽譜スタンド（１０）はマスター電子楽譜スタンド（１０）としての役目を果たすものであり、
前記他の電子楽譜スタンド（５０）はスレーブ電子楽譜スタンド（５０）としての役目を果たすものであることを特徴とする請求項１から請求項１０のいずれか１項に記載の電子楽譜スタンド。
【請求項１２】
請求項１から請求項１０のいずれか１項に記載され、マスター電子楽譜スタンド（１０）としての役目を果たす１つの電子楽譜スタンド（１０）と、
スレーブ電子楽譜スタンド（５０）としての役目を果たす１つ以上の電子楽譜スタンド（５０）と、を備え、
該１つ以上の電子楽譜スタンド（５０）が、
楽譜および注釈を示す対話型ユーザインタフェース（１００）を表示するためのディスプレイ（５１）と、
該１つ以上のスレーブ電子楽譜スタンド（５０）を前記マスター電子楽譜スタンド（１０）と接続するための通信ポート（１３）と、を備える指揮者中心の電子楽譜スタンドシステム（１）であって、
前記スレーブ電子楽譜スタンド（５０）を前記マスター電子楽譜スタンド（１０）に接続し、且つ、
前記楽譜に対する注釈及び／又は変更を前記マスター電子楽譜スタンド（１０）と前記スレーブ電子楽譜スタンド（５０）との間で送信可能とするように、且つ、
マスター電子楽譜スタンド（１０）が、該マスター電子楽譜スタンドの記憶媒体（１２）から読み出される楽譜を１つ以上のスレーブ電子楽譜スタンド（５０）へ送信可能となるように構成されることを特徴とする指揮者中心の電子楽譜スタンドシステム。
【請求項１３】
前記マスター電子楽譜スタンド（１０）は、無線接続、好ましくは規格ＩＥＥＥ８０２．１１無線ＬＡＮ接続によって前記１つ以上のスレーブ電子楽譜スタンド（５０）に接続されることを特徴とする請求項１２に記載の指揮者中心の電子楽譜スタンドシステム。
【請求項１４】
前記マスター電子楽譜スタンド（１０）は、有線接続、好ましくはイーサネット接続によって前記１つ以上のスレーブ電子楽譜スタンド（５０）に接続されることを特徴とする請求項１２または請求項１３に記載の指揮者中心の電子楽譜スタンドシステム。
【請求項１５】
前記マスター電子楽譜スタンド（１０）及び／又は前記１つ以上のスレーブ電子楽譜スタンド（５０）は、前記有線接続によって、好ましくはパワーオーバーイーサネット（ＰｏＥ）規格を使用して給電されることを特徴とする請求項１４に記載の指揮者中心の電子楽譜スタンドシステム。
【請求項１６】
楽譜を表示するための領域と、
前記楽譜を変更し、且つ／又は、前記楽譜に注釈をつけるための手段と、
記憶媒体（１２）と情報をやりとりするための手段と、を備えた、電子楽譜スタンド（１０，５０）で用いる対話型ユーザインタフェース（１００）であって、
前記の楽譜を表示するための領域は、異なる楽器に対応する複数のスコア（１０３）を同時に表示可能であり、
前記の記憶媒体（１２）と情報をやりとりするための手段は、楽譜と、変更及び／又は注釈とを前記記憶媒体（１２）へ保存するとともに、該記憶媒体から読み出すことを可能にし、
前記の楽譜を変更し、且つ／又は、前記楽譜に注釈をつけるための手段は、複数のスコアを同時に変更し、且つ／又は、複数のスコアに同時に注釈を付けることができる可能性を提供し、
前記対話型ユーザインタフェース（１００）は、
前記電子楽譜スタンド（１０，５０）によって受信または放送される画像を表示するためのビデオウインドウ（１１１）と、
他の電子楽譜スタンド（１０，５０）への、楽譜と、該楽譜に成された変更及び／又は注釈（１０１）との送信を開始するための手段と、
他の電子楽譜スタンド（１０，５０）から受信された楽譜と、該楽譜の変更及び／又は注釈との表示を開始するための手段と、を更に備えることを特徴とする対話型ユーザインタフェース。
【請求項１７】
前記インタフェースはタッチパネル上に表示されるように最適化されていることを特徴とする請求項１６に記載の対話型ユーザインタフェース。
【請求項１８】
前記インタフェースは、オーケストラ動作モードと、独奏動作モードとを有し、
前記オーケストラ動作モードは、請求項１２から請求項１５のいずれか１項に記載の指揮者中心の電子楽譜スタンドシステム（１）で用いられるように最適化され、
前記独奏動作モードは、ソロリハーサルまたは作曲のために接続を切られた楽譜スタンド（１０，５０）で使用されるように最適化されていることを特徴とする請求項１６に記載の対話型ユーザインタフェース。
【請求項１９】
対話型ユーザインタフェース（１００）を表示するためのディスプレイ（１１）と、記憶媒体（１２）と、通信ポート（１３）とを有するコンピュータに対して、
異なる楽器に対応する複数のスコアと、付随する注釈及び／又は変更とを記憶媒体１２から読み込む機能と、
異なる楽器に対応する複数のスコア（１０３）を同時に表示するように前記対話型ユーザインタフェース（１００）を制御する機能と、
楽譜と、該楽譜に成された変更及び／又は注釈とを他のコンピュータへ送信するように前記通信ポート（１３）を制御する機能と、
該通信ポート（１３）を介して他のコンピュータから受信される楽譜と該楽譜の変更及び／又は注釈とを表示するように前記対話型ユーザインタフェースを制御する機能と、
該対話型ユーザインタフェースのユーザが該インタフェースに表示される楽譜に注釈をつけ、且つ／又は、該楽譜を変更することができるようにする機能と、
前記対話型ユーザインタフェースのユーザが楽譜に対する前記注釈及び／又は変更を前記記憶媒体（１２）に保存できるようにする機能と、
を実行させる一連の命令（ＳＩ）を有するコンピュータ可読記憶媒体。
【発明の詳細な説明】
【技術分野】
【０００１】
本発明は、オーケストラおよびその指揮者によって或いは演奏者達だけによって共同で使用される電子楽譜スタンドシステムに関する。
【背景技術】
【０００２】
オーケストラおよび演奏者が直面しなければならない普遍的な問題は、楽譜の使用および取り扱いにおける困難性である。
【０００３】
まず第一に、演奏者が長い節を演奏しているとき楽譜の取扱いは困難であり、ページめくりが困難であることは理解できる。ページめくりは、プロのオーケストラにおいて望まれない短い中断を引き起こすことさえあり得る。ある場合には、アシスタントまたはその時点で休んでいる奏者が他の演奏者のページめくりを手助けする。明らかに、これらの解決策はいずれも、専門的ではなく、ワールドクラスの演奏者の必要性を十分に満足させることができるものではない。
【０００４】
この問題に対処するため、従来、単なる機械的なページめくり機構からディスプレイなどの電子的解決策にまで及ぶ幾つかの解決策が生み出されてきた。しかしながら、これらの全ての装置は、単に、楽譜のページをめくるために演奏者によって使用される代わりの手動的手段であって、通常はある種のフットペダルによる手動的手段を提供することに焦点を合わせており、紙に印刷された楽譜の更なる欠点に対処できていない。
【０００５】
紙をベースとする楽譜の更なる欠点は、全ての楽器のための楽譜を作成することと、これらの楽譜を取り扱って配布することとが難しい点である。音楽作品をそれぞれの楽器ごとに書く必要がある度に、異なるスコアの全てのコピーを全ての演奏者が利用できるようにすることに多大な労力をかけなければならない。リハーサル中に、最終的なコピーが決定されるまで、このプロセスが何回も繰り返されることは頻繁にある。作曲家、指揮者、および、演奏者は、しばしば、いわゆる最終スコアを協力して作り出す。この場合、全てのスコア、すなわち、指揮者が有する総譜、演奏者の単一楽器のスコア、歌手の声楽譜などを集めて纏め上げることは事務員の任務である。そのようなプロセス中、それぞれのスコアで成された注釈及び／又は変更を集めてどの注釈及び／又は変更が維持されるべきかを決定することは常に困難である。このプロセスは、新しい初演のためのリハーサル中に特に一般的である。
【０００６】
一群の電子楽譜スタンドを使用することによってこの問題に対処しようとする幾つかの試みがなされてきた。しかしながら、これらの従来技術のシステムは、単に、ペーパーコピーを、楽譜を表示するためのソフトウェアと関連するディスプレイに置き換えているにすぎず、実際には、指揮者を中心とする楽譜を真に協力的に生成／使用するために必要とされるサポートを与えていない。また、かなりの数の従来技術の解決策がそれらを実用化するべく切望される多様性を与えることができなかったことに留意することも重要である。このため、殆どのシステムが演奏者によって採用されてこなかった。
【発明の概要】
【０００７】
したがって、本発明の目的は、従来のペーパーをベースとする楽譜に代わる手段であって、任意の規模のオーケストラで協力的な作業を可能にすると同時に、一人の演奏者だけ或いは例えば室内オーケストラなどの演奏者のグループが使用するのにも適する手段を提供することである。
【０００８】
本発明の更なる目的は、様々な音楽設備に適し且つ演奏者によって容易に採用され得る、自由度があり、多様性のある、便利な解決策を提供することである。
【０００９】
本発明の更なる目的は、楽譜の交換、記憶、および、読み出しの容易で高速なサポートを与える解決策を提供することである。
【００１０】
前記目的は、複数のスレーブ電子楽譜スタンドに接続できるマスター電子楽譜スタンドであって、それを使用するユーザ（例えば、指揮者）が楽譜に注釈を付けることができ且つ／又は楽譜を変更でき、楽譜に対する前記注釈及び／又は変更を１つ以上の接続されたスレーブ楽譜スタンドへ送信でき、楽譜に対するこれらの注釈及び／又は変更を記憶媒体に保存することができ、楽譜に対する前記保存された注釈及び／又は変更を記憶媒体から読み出すことができるようにするマスター電子楽譜スタンドを提供することにより解決される。
【００１１】
また、前記目的は、前述したマスター電子楽譜スタンドと、１つ以上のスレーブ電子楽譜スタンドとを備えるネットワークであって、スレーブ電子楽譜スタンドをマスター電子楽譜スタンドに接続し、楽譜に対する注釈及び／又は変更をマスター電子楽譜スタンドとスレーブ電子楽譜スタンドとの間で送信できるようにし、マスター電子楽譜スタンドがその記憶媒体から読み出される楽譜を１つ以上のスレーブ電子楽譜スタンドへ送信できるようにするべく構成されるネットワークによって解決される。
【００１２】
また、これらの目的は、楽譜を表示するための領域と、前記楽譜を変更し且つ／又は該楽譜に注釈をつけるための手段と、記憶媒体と情報をやりとりするための手段とを備える電子楽譜スタンドで用いる対話型ユーザインタフェースによっても解決される。対話型ユーザインタフェースは、楽譜を表示するための前記領域が、例えば異なる楽器に対応する複数のスコアを同時に表示することができ、記憶媒体と情報をやりとりするための前記手段が、楽譜と変更及び／又は注釈とを前記記憶媒体に保存したり該記憶媒体から読み出したりすることができるようにし、前記楽譜を変更し且つ／又は前記楽譜に注釈をつけるための前記手段が、複数のスコアを同時に変更し且つ／又は複数のスコアに同時に注釈を付けることができる可能性を与えることを特徴とする。前記対話型ユーザインタフェースは、前記電子楽譜スタンドによって受信または放送される画像を表示するためのビデオ画像領域と、他の電子楽譜スタンドへの楽譜の送信および楽譜に成された変更及び／又は注釈の送信を開始するための手段と、他の電子楽譜スタンドから受信された楽譜と該楽譜の変更及び／又は注釈との表示を開始するための手段とを更に備えることが好ましい。
【００１３】
前記目的は、幾つかの（スレーブ）電子楽譜スタンドを備えるネットワークであって、（スレーブ）電子楽譜スタンドを接続してこれらの楽譜スタンドが情報をやりとりできるようにし、楽譜に対する注釈及び／又は変更を（スレーブ）電子楽譜スタンド間で送信できるようにし、（スレーブ）電子楽譜スタンドが協働して楽譜に注釈を付け且つ／又は楽譜を変更できるようにし、楽譜を記憶媒体に保存したり記憶媒体から読み出したりするように構成されるネットワークによって更に解決される。
【００１４】
本発明の目的を達成するために、コンピュータ可読記憶媒体も開発され、前記媒体は、コンピュータに対して、例えば異なる楽器に対応する複数のスコアと、これに付随する注釈及び／又は変更とを記憶媒体から読み込む機能と、異なる楽器に対応する複数のスコアを同時に表示するように対話型ユーザインタフェースを制御する機能と、楽譜と該楽譜に成された変更及び／又は注釈とを他のコンピュータへ送信するように通信ポートを制御する機能と、通信ポートを介して他のコンピュータから受信される楽譜と該楽譜の変更及び／又は注釈とを表示するように対話型ユーザインタフェースを制御する機能と、対話型ユーザインタフェースのユーザが該インタフェースに表示される楽譜に注釈をつけることができ且つ／又は楽譜を変更できるようにする機能と、対話型ユーザインタフェースのユーザが楽譜に対する前記注釈及び／又は変更を記憶媒体に保存できるようにする機能と、を実行させる一連の命令を含む。
【００１５】
本発明の最も重要な利点は、それによって演奏者が、ペーパーベースの楽譜を、ユーザフレンドリな環境を管理するための容易でシームレスな協力的作業の可能性を与えるハイテクな解決策に置き換えることができるという点である。本発明の更なる利点は、異なる楽器のためのスコアおよび楽譜を、変更及び／又は注釈と共に保存でき、読み出すことができ、送信できるという点である。
【００１６】
一連の命令を含むコンピュータ可読記憶媒体の利点は、特別に設計された専用の装置を必要とすることなく、任意の規格のシェルフコンピュータ装置に読み込むことができ、したがって、特定のシナリオにおいてかなりのコスト節約を行なえるという点である。
【００１７】
以下、明細書本文を用いて図面を参照することにより本発明の更なる特徴および利点について詳しく説明する。
【図面の簡単な説明】
【００１８】
【図１】本発明に係る指揮者中心の電子楽譜スタンドシステムのハードウェアコンポーネントの概略図である。
【図２Ａ】本発明に係るマスター電子楽譜スタンドの構造図である。
【図２Ｂ】本発明に係る電子指揮棒の概略図である。
【図２Ｃ】本発明に係るスレーブ電子楽譜スタンドの構造図である。
【図３】本発明に係る使用時の対話型ユーザインタフェースの一例を示す指揮者中心の電子楽譜スタンドシステムの概略図である。
【図４Ａ】本発明に係る対話型ユーザインタフェースの説明図である。
【図４Ｂ】対話型ユーザインタフェースのいわゆるドラッグ・アンド・ドロップ機能を示す、本発明に係る対話型ユーザインタフェースの更なる説明図である。
【図５】いわゆる折り畳まれた一群のスコアを示す、本発明に係る対話型ユーザインタフェースの更なる説明図である。
【図６】異なるオーバーレイを示す、本発明に係る対話型ユーザインタフェースの更なる説明図である。
【図７Ａ】ビデオウインドウを示す本発明に係る対話型ユーザインタフェースの説明図である。
【図７Ｂ】半透明ビデオレイヤを示す対話型ユーザインタフェースの説明図である。
【発明を実施するための形態】
【００１９】
この説明は、指揮者に焦点を合わせるとともに、創造的な芸術的作業に最大限の時間が費やされ且つ楽譜、その注釈、および、指示を作り出して、処理して、配布するために必要な時間が最小限に抑えられるようにしつつ、オーケストラの全ての演奏者とシームレスに共演できる可能性を指揮者に与えることに焦点を合わせる。しかしながら、同じ原理は、演奏者のグループ、例えば演奏者がリハーサル中に協働する室内オーケストラにおいても当てはまる。
【００２０】
簡単にするため、本発明に関して、オーケストラという用語は、音楽作品または楽曲を演奏する任意の数の演奏者を示すために使用される。また、この用語は、単独の演奏者、および、小さい室内音楽集団からフィルハーモニーオーケストラにまで及ぶ範囲のグループも含む。
【００２１】
図１は、本発明に係る指揮者中心の電子楽譜スタンドシステム１のハードウェアコンポーネントの非常に概略的な図を示している。この場合、主要なハードウェアコンポーネントは、マスター電子楽譜スタンド１０、通信ネットワーク４０によって接続される少なくとも１つの、しかし好ましくは複数のスレーブ電子楽譜スタンド５０である。指揮者中心の電子楽譜スタンドシステム１のセットアップは、殆んどがオーケストラによって専用に使用される。これは、指揮者中心の電子楽譜スタンドシステム１の全ての先進機能を使用できるシナリオである。しかしながら、ソロ演奏者、リハーサル中の演奏者、または、指揮者であっても、マスター電子楽譜スタンド１０またはスレーブ電子楽譜スタンド５０の利益を享受できる。
【００２２】
また、多くの同一の楽譜スタンドを使用することもできる。この場合、例えば、幾人かのユーザが共通の文書を編集するグループウェア環境の場合のように、１つの楽譜スタンドがマスターとしての役目を果たし、あるいは、複数の楽譜スタンドが通信する。
【００２３】
図１に示されるネットワークのコンポーネントは、有線または無線の通信ネットワークであってもよい通信ネットワーク４０によって接続される。指揮者中心の電子楽譜スタンドシステム１の用途に応じて、通信ネットワーク４０が無線通信ネットワークまたは有線ネットワークであることが好ましい。演奏者の配置がしばしば変化する移動型の設備では、無線ネットワークが好ましい。市販の通信ハードウェアを使用するため、ＩＥＥＥ８０２．１１規格または一般に知られる”ＷｉＦｉ”が好ましいが、ブルートゥース通信プロトコル、赤外線通信プロトコル、あるいは更には、独自に開発した通信プロトコルが使用されてもよい。演奏者の配置が比較的静的であるコンサートホールまたはオーケストラピットの場合のような所定の設備では、有線ネットワークが好ましい場合がある。標準化されたハードフェアを使用するという同じ理由から、有線ネットワークのための選択のネットワークは、ＩＥＥＥ８０２．３規格であり、または、”イーサネット”として一般に知られる。有線ネットワークは自由度が低くても、有線ネットワークが無線ネットワークを上回る数多くの利点を与えることは知られている。演奏のレコーディング中に非常に重要となり得るこれらの利点のうちの１つは、有線ネットワークが無線周波スペクトルの不必要なノイズを生み出さず、そのため、他の電子システムとの干渉の可能性が減少するという点である。有線ネットワークの更なる利点は、この同じネットワークを介して全てのハードウェアに給電できる可能性が存在し、それにより、別個の給電コードの使用が不要になるという点である。これを達成することは、特に、イーサネット規格ネットワークが使用される場合に実用的である。これは、”Ｐｏｗｅｒ  ｏｖｅｒ  Ｅｔｈｅｒｎｅｔ”と呼ばれる或るいはＰｏＥとしても知られる、イーサネットを介して装置に給電するための専用の規格が既に存在するからである。通信ネットワーク４０によって直接に全ての装置に給電することは、指揮者中心の電子楽譜スタンドシステム１が完全に一体化されたシステムであり且つハードウェアのそれぞれの部品のための電源を含めて全体のシステムを中央で管理できるという主要な利点を有する。これは、電源が幾つかの理由により安定しない設備において非常に重要となり得る。必要に応じて、ネットワークに無停電電源３１すなわちＵＰＳを設けることができ、それにより、指揮者中心の電子楽譜スタンドシステム１を停電に対して頑強にして、演奏者が彼らの作業を邪魔されることなく続けられるようにすることができる。
【００２４】
言うまでもなく、通信規格の特定の選択は、本発明の一般的な発明概念に影響を及ぼさず、また、任意の特定の選択は、本発明の範囲を限定するものと見なされるべきではない。
【００２５】
図１に示されるネットワークがバス型トポロジーネットワークである場合でも、通信ネットワーク４０のトポロジーが、その基本的な機能、すなわち、指揮者中心の電子楽譜スタンドシステム１のハードウェアコンポーネント間でのデータのやりとりに影響を与えることなくスター型からリング型またはメッシュ型へと変化し得ることに留意すべきである。
【００２６】
図２Ａは、本発明に係るマスター電子楽譜スタンド１０の構造図を示している。マスター電子楽譜スタンド１０は、指揮者中心の電子楽譜スタンドシステム１において及び図１に示されるような通信ネットワーク４０の管理において中心的な役割を有する。マスター電子楽譜スタンド１０を通信ネットワーク４０においてサーバーと見なすこともでき、また、複数のスレーブ電子楽譜スタンド５０をクライアントステーションと見なすこともできる。しかしながら、特定の配備では、指揮者中心の電子楽譜スタンドシステム１の全てのコンポーネントに対して同等の役割を割り当てることができる。
【００２７】
図２Ａから分かるように、マスター電子楽譜スタンド１０の全てのハードウェアコンポーネントはバス２７によって接続される。これは接続の好ましい方法であり、それは、利用できる大部分のコンピュータ装置において確立した規格でもある。バス２７の容量は、ハードウェアコンポーネント間の通信が迅速であり且つエラーが無いように設計される。また、バス２７は、バスシステムが通常は更なるハードウェアの接続を常に可能にするため好ましい。しかしながら、次の段落で説明されるコンポーネントの異なる接続方法も可能である。
【００２８】
それぞれのマスター電子楽譜スタンド１０の必須のコンポーネントは中央処理ユニットすなわちＣＰＵ２５である。このＣＰＵ２５は、一連のＳＩ命令（instructions SI）にしたがった一連の命令を実行できる。好ましい実施形態のＣＰＵ２５は、バス２７に直接に接続されるとともに、前記バス２７での全てのトラフィックを管理する。マスター電子楽譜スタンド１０のＣＰＵ２５は、本発明の目的のために特別に設計された専用のＣＰＵであってもよく、あるいは、一般のコンピュータ装置で見出されるプロセッサと同様の汎用プロセッサであってもよい。ＣＰＵという用語は、この文脈では、一般用語として使用され、バッファ、キャッシュレジスタ、クロック発生器（通常は水晶振動子）などのプロセッサに備えられる全ての更なるコンポーネントを含む。エネルギ消費量が低い集積型ＣＰＵであることが好ましい。
【００２９】
図２Ａに示されるように、マスター電子楽譜スタンド１０は、前述した通信ネットワーク４０に接続するために使用される通信ポート１３を備える。通信ネットワーク４０のために選択された技術に応じて、通信ポート１３を無線モジュール、有線ネットワークアダプタ等にすることができる。幅広く利用可能なハードウェアを使用するため、ＩＥＥＥ８０２．１１（ＷｉＦｉ）アクセスカードまたはＩＥＥＥ８０２．３（イーサネット）ネットワークアダプタのような標準的な通信ポート１３が好ましい。前述した給電有線ネットワークの場合、通信ポート１３は、マスター電子楽譜スタンド１０全体に給電できる”Ｐｏｗｅｒ  ｏｖｅｒ  Ｅｔｈｅｒｎｅｔ”すなわちＰｏＥイネーブルドネットワークアダプタである。ＰｏＥイネーブルド通信ポート１３を使用することにより、停電の場合には、通信ネットワーク４０に接続されるＵＰＳ３１（図１参照）によって通信ネットワーク４０を介してマスター電子楽譜スタンド１０に給電できる。
【００３０】
マスター電子楽譜スタンド１０は、楽譜、注釈などを示す対話型ユーザインタフェース１００を表示するために使用されるディスプレイ１１を更に備える。この対話型ユーザインタフェース１００については、対話型ユーザインタフェース１００の想定し得るレイアウトを示す図３〜７Ｂに関連して詳しく説明する。このディスプレイ１１は、高解像度画像を表示できるタッチパネルであり、そのため、アーティストは、ディスプレイ１１上の楽譜を容易に読み取ることができるとともに、タッチパネルを介して対話型ユーザインタフェース１００と情報をやりとりできる。ディスプレイ１１は、楽譜を読むために使用されるため、好ましくは、明るく照明される野外演奏から劇場での演奏中の比較的暗いオーケストラピットにまで及ぶ範囲の様々な照明状態で楽譜を読み取ることができるように高いコントラスト比も有するべきである。ディスプレイ１１がタッチパネルである場合には、ディスプレイ１１上の汚れの量を減らすため、指紋・グリース耐性コーティングのディスプレイ１１も好ましい。移動型の配備の場合には、エネルギ効率の良い低電力消費パネルが好ましい。
【００３１】
ディスプレイ１１がタッチ式ディスプレイパネルでない場合には、ディスプレイ１１が更なるポインティング・入力装置１４を伴う。これにより、ユーザは、ディスプレイ１１のタッチパネルがない場合に対話型ユーザインタフェース１００と情報をやりとりできる。このポインティング・入力装置１４は、コンピュータマウス、光学ペン、キーボード、トラックボール、または、これらの組み合わせであってもよい。
【００３２】
なお、先に挙げた先進機能は、ディスプレイ１１を更に魅力的にするだけでなく、最も簡単なディスプレイでさえ、それが対話型ユーザインタフェース１００を表示できる限り、詳細のレベルが低くても、更に先進的なディスプレイに取って代わることができる。
【００３３】
ある種の記憶媒体１２もマスター電子楽譜スタンド１０の必須の要素である。記憶媒体１２の主要な役割は、楽譜、その複数のバージョン、変更、および、注釈を記憶することである。記憶媒体１２は、ユーザの好み及び対話型ユーザインタフェース１００の様々な設定も記憶できる。本発明の好ましい実施形態において、記憶媒体１２は、実質的に、２つの部分、すなわち、固定された記憶媒体１２．１とリムーバブルな記憶媒体１２．２とから成る。
【００３４】
固定された記憶媒体１２．１は、マスター電子楽譜スタンド１０および指揮者中心の電子楽譜スタンドシステム１のほぼ全体をそのタスクを実行するために制御する一連のＳＩ命令を記憶するようになっている。この一連のＳＩ命令は、当該技術分野においてファームウェアとしても知られており、そのため、装置がその意図される機能を果たすことができるように予めプログラムされる。好ましい実施形態において、この一連の命令は、バグが後に特定される場合に或いはハードウェア設備を変更する必要なく新たな機能を実施できるようにするため、アップグレードできる。
【００３５】
一方、リムーバブルな記憶媒体１２．２は、いわゆる動的データ、すなわち、ユーザ設定およびユーザデータを記憶するようになっている。ユーザ設定は、ここでは、装置、対話型ユーザインタフェース１００、通信ポート１３によって使用される認証データなどにおけるお好みの設定に関する一般的な用語として使用される。ユーザデータは、本出願の文脈では、その全てのバージョンおよび注釈を伴う全ての楽譜データを意味する。これは、例えば指揮者によって使用される総譜、歌手のための声楽譜、一人の演奏者によって使用される楽器譜のような全てのスコアを含む。好ましい実施形態において、これらのスコアのそれぞれは、単一のスコア、一群のスコア、または、総譜、すなわち、オーケストラ内の全てのアーティストが利用できるスコアに固有の一組の注釈および備考を伴うことができる。したがって、このリムーバブルな記憶媒体１２．２は、マスター電子楽譜スタンド１０から外した後、保存されたユーザデータを取り出すために同じマスター電子楽譜スタンド１０または適合装置内に挿入することができる。リムーバブルな記憶媒体１２．２は、半導体ベースの記憶、磁気的な記憶、または、光学的な記憶を使用してもよい。しかしながら、特定の選択が、リムーバブルな記憶媒体１２．２が果たす基本的な機能、すなわち、ユーザデータを記憶する機能を変えないことに留意すべきである。好ましい実施形態において、リムーバブルな記憶媒体１２．２は、ＵＳＢ（ユニバーサル・シリアル・バス）コネクタと一体の或いはＵＳＢフラッシュドライブとして一般に知られるＮＡＮＤ型フラッシュメモリデータ記憶デバイスである。主な利点は、標準的な高可用性の信頼できるハードウェアを使用でき、また、殆んどの現在のコンピュータ装置がこれらを読み取ることができるという点である。リムーバブルな記憶媒体１２．２の容量は、それが多量のユーザデータにとって十分となるように選択される。
【００３６】
マスター電子楽譜スタンド１０の随意的なコンポーネントはメトロノーム１５である。これは、調整された可聴パルス、視覚パルス、タッチパルス、または、これら３つの任意の組み合わせを生み出す。これは、演奏者が楽曲の演奏のために拍／分（ＢＰＭ）で測定される安定したテンポを確立するのに役立つ。本発明のマスター電子楽譜スタンド１０は、精度を維持するために水晶振動子を有する電子メトロノーム１５を備えることが好ましい。メトロノーム１５の好ましい実施形態において、規則正しい”チック”音は、それぞれの小節内の拍子を示し、また、他の別個の音は、それぞれの小節の開始を示す。これはデュアルメトロノームとして知られる。テンポ制御は、それぞれの拍子（一般には、拍／分で測定される）を分ける時間を調整し、一方、他の別個の制御は、リズムの韻律、したがって各小節における拍数を調整する。
【００３７】
本発明のマスター電子楽譜スタンド１０はさらに、随意的なマイクロホン１９も採用する。これは、楽譜スタンドの近傍の楽器のピッチまたは拍子を検出するなどの複数の目的を果たすことができる。したがって、音響信号を取得することによって演奏されている音楽作品のＢＰＭすなわち拍／分を自動的に検出するためにマイクロホン１９を使用することができる。このＢＰＭ検出の使用については、対話型ユーザインタフェース１００を記載する図面に関連して後述する。本発明の特定の実施形態において、マイクロホン１９は、全ての楽器または一群の楽器から音を一様に取得するためにオーケストラの周囲の幾つかの場所に配置される幾つかのマイクロホンの集合体として実施できる。
【００３８】
マスター電子楽譜スタンド１０の更なる随意的なコンポーネントはチューニングパイプ１７である。これは、演奏者が正しいピッチを見つけて自分達の楽器を正確に調律するのに役立つ。演奏者は音符を奏で、また、ディスプレイ１１上のインジケータは、その音符のピッチが低いか、高いか、あるいは、所望のピッチにほぼ等しいかどうかを演奏者に告げる。また、好ましい実施形態のチューニングパイプ１７は、どのピッチが意図されるのかを自動的に検出しようと試み、あるいは、別の実施形態では目標ピッチを指定するように演奏者に求める。なお、チューニングパイプ１７は、前述したマイクロホン１９を使用してもよく、あるいは、別個の専用のマイクロホンを特徴としてもよい。
【００３９】
本発明の好ましいマスター電子楽譜スタンド１０は、随意的な電子指揮棒７０を更に備える。電子指揮棒７０は、指揮者によって使用される伝統的な指揮棒の正確な形状および重量を有することが好ましい。しかしながら、電子指揮棒７０は、前記電子指揮棒７０の動きに応じて信号を供給することができる。電子指揮棒７０の動きは、加速度計７３およびセンサ７１の配置によって記録される。好ましくは、デカルト座標系の３つの全ての軸に沿う動きを検出できる３軸加速度計が使用される。センサ７１は、電子指揮棒７０が指し示している場所を検出するために使用される。センサ７１は、好ましい実施形態ではいわゆるセンサバー２１を備える、指揮棒７０の動きを検出するための手段と協働する。センサバー２１は、一連の識別エミッタ２２、好ましくは赤外線ＬＥＤを備える。
【００４０】
電子指揮棒７０が指し示している場所およびその動きを検出する原理は以下のとおりである。すなわち、該原理は、センサバー２１の識別エミッタ２２が電子指揮棒７０の方向に識別信号を常に発することと、電子指揮棒７０のセンサ７１がセンサバー２１の識別エミッタによって発せられる信号を検出することと、加速度計７３が電子指揮棒７０の動きをデカルト座標系の３つの全ての軸で検出することと、電子指揮棒７０の送信器７２が、センサ７１および加速度計７３から受信される信号を送信することと、送信器７２によって送信される信号が、指揮棒７０の動きを検出するための手段の受信器２３（図２Ａ参照）によって受信されて、ＣＰＵ２５によって処理するためにバス２７を介して送られることと、受信された信号に基づいて、ＣＰＵ２５が電子指揮棒７０の動きおよび正確な位置を（三角測量として一般に知られるプロセスによって）計算することとである。
【００４１】
電子指揮棒７０の検出された動き、位置、および、方向については、対話型ユーザインタフェース１００に関連する更なる段落において説明する。
【００４２】
別の実施形態において、電子指揮棒７０は発光素子（例えば、ＬＥＤ）を備える。この発光素子は、それが見えるように指揮棒７０の一端に位置されることが好ましい。ＣＣＤカメラまたは他の感光システムが、指揮者が指揮棒７０を使用しようとする場所から特定の距離を隔てて配置される。ＣＣＤカメラまたは他の感光システムは、指揮者および指揮棒７０と対向している。指揮棒７０は、特定の周波数の光を常に発する。この光は、ＣＣＤカメラまたは他の感光システムによるスポットとして見られる。指揮棒７０の任意の３次元動作が２次元表示へと変換される。
【００４３】
今しがた説明した実施形態に基づく更なる他の実施形態では、指揮棒７０が前述したような加速度計７３も備える。加速度計７３は、指揮棒７０の発光素子をトリガし或いは制御するために使用される一連の信号を供給する。例えば特定の閾値に達する任意の減速または加速を発光素子のｏｎ−ｏｆｆ調整へと”変換する”ことができる。この場合、ＣＣＤカメラまたは他の感光システムは、指揮棒７０の動きを検出するだけでなく、指揮棒７０の動きの更なる動力学的情報も受ける。指揮棒７０の先の実施形態に関して述べたように、これらの検出された動きを解釈して他の（例えばスレーブ）電子楽譜スタンド５０へ伝えることもできる。
【００４４】
図２Ｃは本発明に係るスレーブ電子楽譜スタンド５０を表わしている。スレーブ電子楽譜スタンド５０の必須の要素は、マスター電子楽譜スタンド１０で見出される要素に類似する。したがって、スレーブ電子楽譜スタンド５０は、使用されている通信ネットワーク４０と適合し且つ通信ネットワーク４０を介してマスター電子楽譜スタンド１０の通信ポート１３へデータを送信し／該通信ポート１３からデータを受信できる通信ポート５３を備える。マスター電子楽譜スタンド１０の通信ポート１３と同様に、スレーブ電子楽譜スタンド５０の通信ポート５３は、通信ネットワーク４０のために使用される技術にしたがって様々なタイプからなることができる。すなわち、通信ポート５３は、マスター電子楽譜スタンド１０の通信ポート１３に関連して既に説明したような有線または無線ネットワークアダプタであってもよい。また、本発明の更なる実施形態では、通信ネットワーク４０に関して技術を組み合わせて使用することもできる。すなわち、スレーブ電子楽譜スタンド５０またはマスター電子楽譜スタンド１０の一部を無線接続により接続する一方で、他の楽譜スタンドを有線接続を介して接続することができる。これは、ハイブリッドネットワークと呼ばれており、ローカルエリア・ネットワークＬＡＮまたは広域ネットワークＷＡＮなどの一般的なネットワーク内で現在幅広く使用される。
【００４５】
電子楽譜スタンド５０は、図２Ａに描かれるような記憶媒体１２を備えていてもよい。
【００４６】
スレーブ電子楽譜スタンド５０は、楽譜、注釈などを示す対話型ユーザインタフェース１００を表示するために使用されるディスプレイ５１を更に備える。好ましくは、このディスプレイ５１は、高解像度画像を表示できるタッチパネルであり、そのため、アーティストは、ディスプレイ５１上の楽譜を容易に読み取ることができるとともに、タッチパネルを介して対話型ユーザインタフェース１００と情報をやりとりできる。ディスプレイ５１は、楽譜を読むために使用されるため、好ましくは、明るく照明される野外演奏から劇場での演奏中の比較的暗いオーケストラピットにまで及ぶ範囲の様々な照明状態で楽譜を読み取ることができるように高いコントラスト比も有するべきである。
【００４７】
ディスプレイ５１がタッチ式ディスプレイパネルでない場合には、ディスプレイ５１が更なるポインティング・入力装置５４を伴う。これにより、ユーザは、ディスプレイ５１のタッチパネルがない場合に対話型ユーザインタフェース１００と情報をやりとりできる。このポインティング・入力装置５４は、コンピュータマウス、光学ペン、キーボード、トラックボール、または、これらの組み合わせであってもよい。
【００４８】
マスター電子楽譜スタンド１０と同様に、スレーブ電子楽譜スタンドの全てのコンポーネントが共通のバス５７に接続されるのが好ましい。
【００４９】
それぞれのスレーブ電子楽譜スタンド５０の必須のコンポーネントは中央処理ユニットすなわちＣＰＵ５５である。このＣＰＵ５５は、一連のＳＩ命令にしたがった一連の命令を実行できる。好ましい実施形態のＣＰＵ５５は、バス５７に直接に接続されるとともに、前記バス５７での全てのトラフィックを管理する。スレーブ電子楽譜スタンド５０のＣＰＵ５５は、本発明の目的のために特別に設計された専用のＣＰＵであってもよく、あるいは、一般のコンピュータ装置で見出されるプロセッサと同様の汎用プロセッサであってもよい。
【００５０】
なお、先の段落で挙げられたスレーブ電子楽譜スタンド５０のコンポーネントは前記スレーブ電子楽譜スタンド５０の最小限の要件であり、更なる実施形態において、スレーブ電子楽譜スタンド５０は、マスター電子楽譜スタンド１０に関して説明したマスター電子楽譜スタンド１０の任意のコンポーネントを更に備えることができる。しかしながら、スレーブ電子楽譜スタンド５０は通信ネットワーク４０内でスレーブステーションとしての役目を果たすように構成される。すなわち、全てのスレーブ電子楽譜スタンド５０はマスター電子楽譜スタンド１０の制御下にある。制御という用語は、その最も広い意味で解釈されるべきである。すなわち、各スレーブ電子楽譜スタンド５０は、例えば、マスター電子楽譜スタンド１０から命令を受け、あるいは、マスター電子楽譜スタンド１０によって駆動される。マスター電子楽譜スタンド１０からの各スレーブ電子楽譜スタンド５０の独立性のレベルは、対話型ユーザインタフェース１００を使用して設定することができ、特定のオーケストラの要求を満たすように設定される。
【００５１】
また、全ての楽譜スタンドが同一の装備を有するような形態または構造も想定し得る。この場合、１つの楽譜スタンドがマスターとしての役目を果たすように選択されてもよく、あるいは、全ての楽譜スタンドがグループウェア手法にしたがって協働する。
【００５２】
図３は、使用時の対話型ユーザインタフェース１００の一例を示す指揮者中心の電子楽譜スタンドシステム１の概略図を示している。この図では、それぞれのスレーブ電子楽譜スタンド５０およびマスター電子楽譜スタンド１０がそれらに表示される対話型ユーザインタフェース１００の概略図によって表わされている。図３は機能図であるため、通信ネットワーク４０および指揮者中心の電子楽譜スタンドシステム１の物理的なレイアウトは、その機能性に影響を及ぼすことなく異ならせることができる。
【００５３】
ここでは、対話型ユーザインタフェース１００を介した指揮者中心の電子楽譜スタンドシステム１の使用が概念的に示されている。図示の例は、対話型ユーザインタフェース１００がどのようにしてディスプレイ５１（図２Ｃ）上およびディスプレイ１１（図２Ａ）上に表示されるのかを示しており、これらのディスプレイは、ここでは、それぞれのアーティストＡ，Ｂ，Ｃ，Ｄ…Ｘごとに異なるスコアを示している。マスター電子楽譜スタンド１０を制御するユーザは、自分自身のディスプレイ１１上で、アーティストＤのスコアに注釈を付けて、前記注釈をアーティストＤのスレーブ電子楽譜スタンド５０へ送る。全く同じ方法で、注記の変更を対話型ユーザインタフェース上で行なって通信ネットワーク４０を介して１つの、全ての、あるいは、一群のスレーブ電子楽譜スタンド５０へ送ることもできる。図３の太線の矢印Ｋは、アーティストＤのためのスコア１０３に関する注釈１０１の、マスター電子楽譜スタンド１０の対話型ユーザインタフェース１００から通信ネットワーク４０を介したアーティストＤのためのスレーブ電子楽譜スタンド５０の対話型ユーザインタフェース１００への伝送を示している。
【００５４】
対話型ユーザインタフェース１００の典型的な実施形態の詳細図が図４Ａに示されている。しかしながら、設定およびユーザの好みにしたがって、対話型ユーザインタフェース１００が多くの異なるレイアウト、すなわち、予めプログラムされたレイアウトあるいはユーザにより作られるレイアウトをとることができることに留意すべきである。これらのレイアウトは、ユーザによってカスタマイズすることができるとともに、記憶媒体１２に記憶し／記憶媒体１２から読み出すことができる。図４Ａの例は、オーケストラの指揮者のために構成された対話型ユーザインタフェース１００を示している。
【００５５】
一人のアーティストの伝統的なペーパー楽譜のように、対話型ユーザインタフェース１００の大半も音符１０４によって占められる。ここでは、指揮者の総譜が、各アーティストまたはアーティストのグループのための特定のスコア１０３を伴って示されている。アーティストＡ〜Ｄのグループのための随意的なスコア１０３も与えられており、このスコアは、指揮者が、各アーティストごとに個別に変更、注釈を行なうのではなくアーティストＡ〜Ｄのこのグループへ容易に送ることができる変更、注釈を行なうに役立つ。ある場合には、ここに示されるスコアのように、この更なるスコア１０３は何も書かれていないスコアであり、この場合、指揮者は、更なる音符またはアーティストＡ〜Ｄのこのグループのための注釈を挿入することができる。
【００５６】
本発明の好ましい実施形態において、指揮者または楽譜スタンドのユーザは、スコアのライン上およびライン間にだけでなくスコアの上側および下側に注釈を付けることができる。これは必要な場合がある。なぜなら、一部の注釈（例えば、クレッシェンドとして解釈される矢印）は一般にスコアの下側に付けられ、一部の注釈（例えばアクセント）は一般にスコアの上側に位置されるからである。
【００５７】
更なる他の実施形態において、スコア間のスペースは、一般に、１つのスクリーン上に可能な限り多くのスコアを表示できるように、できる限り狭く保たれる。指揮者または楽譜スタンドのユーザがスコア間のスペース（前述したように、特定のスコアの上側または下側）に注釈を付けたいと思う場合には、コマンド（例えば、ダブルクリック）がディスプレイを拡大または幅広表示モードへ切り換える。このモードでは、任意の種類の注釈を加えるために、十分な余白が上下にある。他のコマンド（例えば、ダブルクリック）にしたがって、ディスプレイは、スコア間のスペースが縮められる通常モードへ戻る。縮めるプロセスの最中に、注釈は、それらが依然として適切に見えるように書き換え或いは変換されることが好ましい。
【００５８】
各スコア１０３には、その特定のスコア１０３の変更及び／又は注釈をそのスコア１０３または一群のスコア１０３と関連付けられるスレーブ電子楽譜スタンド５０または一群のスレーブ電子楽譜スタンド５０へ送信するために使用される専用の協調ボタン１０５が設けられることが好ましい。
【００５９】
また、図４Ａは、様々なタスクを実行するために対話型ユーザインタフェース１００のユーザによって使用される選択ポインタ１０７も示している。ディスプレイ１１またはディスプレイ５１がタッチパネルである場合、選択ポインタ１０７は、見ることができない仮想ポインタであり、ユーザの指またはこの目的のために形成されたスタイラス機器によってディスプレイ１１またはディスプレイ５１に触れることにより起動される。触感機能を伴わないディスプレイ１１またはディスプレイ５１の場合には、選択ポインタ１０７がポインティング・入力装置１４または５４を使用して制御される。
【００６０】
図４Ｂは、対話型ユーザインタフェース１００のいわゆる”ドラッグ・アンド・ドロップ”機能を示しており、この場合、ユーザは、単に、選択した音符１１３を”ドラッグして”、前記選択した音符１１３を異なるスコア１０３または同じスコア１０３の異なる領域へ”ドロップ”することができる。この機能は、特に作曲家にとって或いは音楽の編曲において音符の扱いを非常に簡単にする。
【００６１】
図４Ａおよび図４Ｂは再生バー１０９も示しており、この再生バーは、前述したＢＰＭ検出に基づいて、楽譜上で演奏されている音楽作品に自動的に追従でき、それにより、アーティストが現在演奏している音符の位置を突き止めるのを助ける。この再生バー１０９は、マスター電子楽譜スタンド１０のユーザによって手動で調整され或いは移動されてもよい。ＢＰＭ検出機構／アルゴリズムは、幾つかの楽器の平均値が生成されるように実施されてもよい。この場合、この平均値は、再生バー１０９を平均速度で前進させる。
【００６２】
更なる他の実施形態において、各楽譜スタンドは、局所的なＢＰＭ検出機構／アルゴリズムが局所的な楽器の速度を検出して局所的な楽譜スタンドのディスプレイ上で局所的な楽器を遅くする（すなわち、局所的なＢＰＭが平均的なＢＰＭに遅れる）べきか否かを示す表示が与えられる或いは局所的な楽器を急がせる（すなわち、局所的なＢＰＭが平均的なＢＰＭよりも進む）べきか否かを示す表示が与えられる機能を提供してもよい。この機能はＯＮ・ＯＦＦに切り換えることができる。
【００６３】
本発明の好ましい実施形態において、この再生バー１０９は、再生バー１０９がページの最後に達すると直ぐに楽譜を次のページへと自動的に変えることができる自動ページめくり機能と組み合わせることができる。先進の自動ページめくり機能は、再生バー１０９が現在のページの最後に達する前であっても楽譜の到達していないページのプレビューをアーティストに対して更に示し、それにより、音符１０４がアーティストによって見逃されないようにする。
【００６４】
マイクロホン１９が設けられず、あるいは、何らかの理由によりアーティストが自動ページめくり機能をＯＦＦにする場合には、楽譜１８の流れを手動で制御するための手段が代わりに使用される。これは、楽譜ページを前後にめくるために使用される多数のスイッチを有するフットペダルであることが好ましい。また、小型の遠隔制御装置をそれが容易に到達され得る場所で楽器に取り付けることもできる。この代わりの実施形態では、この遠隔制御装置を使用して、ページめくりを制御できる。
【００６５】
更なる実施形態において、電子指揮棒７０の検出された動作、位置、および、方向は、自動ページめくり機能を手助けするために演奏されている音楽作品の楽譜における現在の位置を検出するためにも使用される。
【００６６】
図５は、対話型ユーザインタフェース１００の更なる機能、すなわち、折り畳み可能な楽譜を示している。この機能は、指揮者の総譜が多数の単一楽器スコア１０３を含むときに役に立つ。この場合には、マスター電子楽譜スタンド１０のディスプレイ１１上の対話型ユーザインタフェース１００が過密状態になる場合がある。これを克服するため、単一楽器におけるスコア１０３は、対話型ユーザインタフェース１００上のスペースを節約するために、グループにまとめられて、単一のラインへと”折り畳まれる”。この折り畳まれたスコアのグループ１１４は、その後、必要に応じて、含んでいるスコアを露出させるために再び”広げる”ことができる。単なる一例として、大きなオーケストラでは、木管楽器用の折り畳まれたスコアグループ１１４、ブラス用の別個の折り畳まれたスコアグループ１１４、更には打楽器用のグループ等のように、各楽器のための多数のスコアを楽器のタイプによって少数の折り畳まれたスコアグループ１１４へとグループ化することができる。これは、指揮者がこれらの楽器グループ用のスコアを非常に容易に管理するのに役立つ。なお、これらの全てのタスクは、対話型ユーザインタフェース１００のユーザによって実行することができ、また、これらの全てのグループをいつでも記憶媒体１２に保存し／該記憶媒体１２から読み出すことができ、これらは前述したユーザデータの一部である。
【００６７】
図６は、ユーザの注釈が独立のオーバーレイ１１０上に配置される対話型ユーザインタフェース１００の特定の実施形態を示している。このオーバーレイ１１０は、楽譜の上側の半透明層として与えられるとともに、独立に解釈される。すなわち、オーバーレイは、楽譜とは無関係に保存され／読み出され或いは送信され／受信され得る。なお、オーバーレイ１１０の右下側のページカールは、単に、オーバーレイ１１０が好みに応じて除去することができる対話型ユーザインタフェース１００上の別個の層であり、また、このオーバーレイ１１０が例えばトレーシングペーパーのようなディスプレイ１１またはディスプレイ５１の上端の物理層であるとこのページカールの例図が解釈されるべきでないことを示すべく意図されている。
【００６８】
この図に示されるように、異なるサイズおよび目的の幾つかの異なるオーバーレイ１１０は、単一の対話型ユーザインタフェース１００上で規定することができる。後に、各オーバーレイ１１０は、ユーザの必要に応じて個別に或いは一緒に扱うことができる。この場合、図７Ａおよび図７Ｂから分かるように、これらのオーバーレイ１１０をスレーブ電子楽譜スタンド５０によって送信／受信できる。
【００６９】
独立のオーバーレイ１１０を伴う対話型ユーザインタフェース１００のそのような実施形態は、オリジナルの楽譜が常に変化を伴わず且つオリジナルの楽譜に何ら影響を与えることなく異なるオーバーレイ１１０を適用でき、加えることができ、変更することができ、あるいは、削除することができるという利点を有する。
【００７０】
指揮者中心の電子楽譜スタンドシステム１の特別な随意的機能、すなわち、指揮者のライブビデオ放送を対話型ユーザインタフェース１００上に直接に表示できる可能性が図７Ａおよび図７Ｂに示されている。指揮者のライブビデオ放送は、既に説明したマスター電子楽譜スタンド１０のビデオカメラ２９によって可能になる。この機能は、幾つかの理由により、すなわち、一部のオーケストラピットでは何人かのアーティストによる指揮者の直視が不可能であるため；演奏者が楽譜からもはや目を離す必要がないため；演奏者が物理的に異なる場所に居つつ単一の音楽作品を演奏できるため、非常に有益である。この最後の態様は、指揮者中心の電子楽譜スタンドシステム１の画期的な機能であり、それにより、そのアーティスト達が異なる場所にいるオーケストラによって音楽作品を演奏できる或いはリハーサルできる可能性が与えられる。この場合の唯一の要件は、それぞれがマスター電子楽譜スタンド１０またはスレーブ電子楽譜スタンド５０を有し、また、それぞれが通信ネットワーク４０への接続手段を有するということである。この最後の要件は、マスター電子楽譜スタンド１０およびスレーブ電子楽譜スタンド５０を通信ネットワーク４０を介して接続することによって容易に解決できる。
【００７１】
図７Ａおよび図７Ｂは、ライブビデオ放送を伴う対話型ユーザインタフェース１００の異なるバージョンを示している。図７Ａは、指揮者の画像を表示する専用のビデオウインドウ１１１を伴う対話型ユーザインタフェース１００を示している。一方、図７Ｂは、同じ目的を果たす半透明ビデオレイヤ１１２を伴う対話型ユーザインタフェース１００を示している。
【００７２】
更なる実施形態において、電子指揮棒７０の検出された動作、位置、および、方向は、様々な段落で説明したように、マスター電子楽譜スタンド１０によって読み取られて、それぞれのスレーブ電子楽譜スタンド５０へ送信される。この場合、ビデオウインドウ１１１または半透明ビデオレイヤ１１２は、指揮者自身を表示することなく指揮棒の動きの抽象的な描写のみ或いはこれらの組み合わせを表示できる。更なる他の実施形態において、電子指揮棒７０の検出された動作、位置、および、方向は、それぞれのスレーブ電子楽譜スタンド５０へ送信され得る更なる情報を検出するために更に使用される。
【００７３】
本発明の更なる実施形態において、対話型ユーザインタフェース１００は、２つの動作モード、すなわち、オーケストラ動作モードおよび独奏動作モードを有する。
【００７４】
オーケストラ動作モードは、オーケストラによって協力的に使用されるように最適化される。この動作モードは、主に、オーケストラの指揮者によって使用され、楽譜を変更し或いは楽譜に注釈を付けてこれらの変更および注釈を送信するという先進機能を与える。この動作モードは、図４〜６に関連して前述した対話型ユーザインタフェース１００に類似する。
【００７５】
対話型ユーザインタフェース１００の独奏動作モードは、ソロアーティストのために設計されており、楽譜を表示するという機能、最終的には再生バー１０９の機能のみを主に与える簡略化された対話型ユーザインタフェース１００である。更なる実施形態において、独奏動作モードの対話型ユーザインタフェース１００が作動する装置がマイクロホンを備える場合、独奏動作モードは、先の段落で説明した自動ページめくり機能を更に備える。この動作モードは、図７Ａおよび７Ｂに関連して前述した対話型ユーザインタフェース１００に類似する。
【００７６】
本発明の更なる実施形態では、指揮者中心の電子楽譜スタンドシステム１全体が、指揮者中心の電子楽譜スタンドシステム１の機能をコンピュータに実行させる一連のＳＩ命令を含むコンピュータ可読記憶媒体によって達成される。
【００７７】
本発明の特別な随意的機能は、指揮棒として使用できるとともにタッチスクリーンを作動させる／操作するためのポインティング装置として使用できる指揮棒７０である。この場合、指揮棒７０は伸縮式の指揮棒であることが好ましい。
【００７８】
とりわけ、明細書全体にわたって説明したように、これらの機能は、異なる楽器に対応する複数のスコアと、付随する注釈及び／又は変更とを記憶媒体１２から読み込むことと、異なる楽器に対応する複数のスコアを同時に表示するために対話型ユーザインタフェース１００を制御することと、楽譜および楽譜に成された変更及び／又は注釈を他のコンピュータへ送信するために通信ポート１３を制御することと、他のコンピュータから通信ポート１３を介して受信される楽譜と該楽譜の変更及び／又は注釈とを表示するために対話型ユーザインタフェース１００を制御することと、対話型ユーザインタフェース１００のユーザが該インタフェースに表示される楽譜に注釈を付けることができ且つ／又は楽譜を変更できるようにすることと、対話型ユーザインタフェース１００のユーザが楽譜に対する前記注釈及び／又は変更を記憶媒体１２に保存できるようにすることと、を含む。
【００７９】
本発明に係る一連のＳＩ命令は、ラップトップ、タブレットＰＣ、または、携帯端末すなわちＰＤＡなどの標準的ないわゆるシェルフコンピュータ装置で実行できるように設計される。
【００８０】
なお、これらの標準的なコンピュータ装置がマスター電子楽譜スタンド１０またはスレーブ電子楽譜スタンド５０に関連して先の段落で説明したような必須のコンポーネントを備える限り、一連のＳＩ命令は、特注設計されたマスター電子楽譜スタンド１０およびスレーブ電子楽譜スタンド５０を有する指揮者中心の電子楽譜スタンドシステム１と同じ機能を与えることができる。
【００８１】
この実施形態の主な利点は、指揮者中心の電子楽譜スタンドシステム１を確立するために高可用性のシェルフハードウェアを使用できる可能性であり、それにより、コストおよび時間を節約できる。
【００８２】
本発明の更なる実施形態では、指揮者中心の電子楽譜スタンドシステム１が２つの動作モードを与える。第１の動作モード（いわゆるリハーサルモード）では、指揮者および演奏者が前述したように協働できる。第２の動作モード（いわゆるライブモード）では、リハーサル中にのみ役立つ任意の機能がＯＦＦに切り換えられ或いは作動停止される。
【００８３】
言うまでもなく、以下の請求項に記載される本発明の範囲から逸脱することなく、前述した特定の構造に基づいて多くのバリエーションをとることができる。
【符号の説明】
【００８４】
１:指揮者中心の電子楽譜スタンドシステム、１０：マスター電子楽譜スタンド、１１：ディスプレイ、１２：記憶媒体、１３：通信ポート、１４：入力装置、１９：マイクロホン、２１：センサバー、２５：ＣＰＵ、２７：バス、４０：通信ネットワーク、５０：スレーブ電子楽譜スタンド、５１：ディスプレイ、５３：通信ポート、５４：入力装置、５５：ＣＰＵ、５７：バス、７０：電子指揮棒、１００：インタフェース、１０１：注釈、１０３：スコア、１０４：音符、１０９：再生バー、１１０：オーバーレイ、１１１：ビデオウインドウ、１１２：半透明ビデオレイヤ。
【図１】
2011528127.tif 000003
【図２Ａ】
2011528127.tif 000004
【図２Ｂ】
2011528127.tif 000005
【図２Ｃ】
2011528127.tif 000006
【図３】
2011528127.tif 000007
【図４Ａ】
2011528127.tif 000008
【図４Ｂ】
2011528127.tif 000009
【図５】
2011528127.tif 000010
【図６】
2011528127.tif 000011
【図７Ａ】
2011528127.tif 000012
【図７Ｂ】
2011528127.tif 000013
【国際調査報告】
2011528127.tif 000014
2011528127.tif 000015